(57)【特許請求の範囲】
【請求項１】
半導体素子と、前記半導体素子から指示を受けて光を発する発光素子とを備える素子層と、
光ビームを照射することによって読取可能な所定のデータが記録される記録層と
を備え、
前記発光素子は、前記半導体素子の制御により、信号の送信及び受信の少なくとも一方を行うことを特徴とする記録媒体。
【請求項２】
前記半導体素子は蒸着法及び塗布法の少なくとも一方により形成されることを特徴とする請求の範囲第１項に記載の記録媒体。
【請求項３】
前記半導体素子は、有機半導体を含むことを特徴とする請求の範囲第１項に記載の記録媒体。
【請求項４】
前記半導体素子には、前記記録層に記録されるデータと関連性を有するデータが格納されることを特徴とする請求の範囲第１項に記載の記録媒体。
【請求項５】
当該記録媒体は円盤状の形状を有しており、
前記発光素子はリング状に形成されていることを特徴とする請求の範囲第１項に記載の記録媒体。
【請求項６】
前記発光素子は、当該記録媒体の全面に渡って形成されることを特徴とする請求の範囲第１項に記載の記録媒体。
【請求項７】
前記発光素子の発光パターンは、バーコードパターンであることを特徴とする請求の範囲第１項に記載の記録媒体。
【請求項８】
前記発光素子は、有機ＥＬ（Electro Luminescence）素子を含むことを特徴とする請求の範囲第１項に記載の記録媒体。
【請求項９】
前記発光素子は、無機ＥＬ素子を含むことを特徴とする請求の範囲第１項に記載の記録媒体。
【請求項１０】
前記発光素子は、前記半導体素子と比較して、当該記録媒体の外部により近い位置に形成されることを特徴とする請求の範囲第１項に記載の記録媒体。
【請求項１１】
前記素子層は、当該記録媒体の外部から入射する光を受光する受光素子を更に備えることを特徴とする請求の範囲第１項に記載の記録媒体。
【請求項１２】
当該記録媒体は円盤状の形状を有しており、
前記受光素子はリング状に形成されていることを特徴とする請求の範囲第１１項の記録媒体。
【請求項１３】
前記受光素子は、有機受光素子を含むことを特徴とする請求の範囲第１１項に記載の記録媒体。
【請求項１４】
前記受光素子は、前記半導体素子と比較して、当該記録媒体の外部により近い位置に形成されることを特徴とする請求の範囲第１１項に記載の記録媒体。
【請求項１５】
前記素子層は、前記半導体素子及び前記発光素子への少なくとも一方へ電力を供給する給電素子を更に備えることを特徴とする請求の範囲第１項に記載の記録媒体。
【請求項１６】
前記給電素子は、有機太陽電池を含むことを特徴とする請求の範囲第１５項に記載の記録媒体。
【請求項１７】
前記有機太陽電池は、前記半導体素子と比較して、当該記録媒体の外部により近い位置に形成されることを特徴とする請求の範囲第１６項に記載の記録媒体。
【請求項１８】
前記受光素子により光−電気変換された電力を蓄積する電気二重キャパシタ層を更に備えることを特徴とする請求の範囲第１１項に記載の記録媒体
【請求項１９】
半導体素子並びに前記半導体素子から指示を受けて光を発する発光素子を備える素子層と、光ビームを照射することで読取可能な所定のデータが記録される記録層とを備え、前記発光素子は、前記半導体素子の制御により、信号の送信及び受信の少なくとも一方を行う記録媒体に前記データを記録する記録装置であって、
前記光ビームを照射することで前記記録層に前記データを記録する記録手段と、
前記発光素子が発する光を受光する受光手段と
を備えることを特徴とする記録装置。
【請求項２０】
前記素子層は、該記録媒体の外部から入射する光を受光する受光素子を更に備えており、
前記受光素子に向けて光を発する発光手段を更に備えることを特徴とする請求の範囲第１９項に記載の記録装置。
【請求項２１】
半導体素子並びに前記半導体素子から指示を受けて光を発する発光素子を備える素子層と、光ビームを照射することで読取可能な所定のデータが記録される記録層とを備え、前記発光素子は、前記半導体素子の制御により、信号の送信及び受信の少なくとも一方を行うる記録媒体に前記データを記録する記録方法であって、
前記光ビームを照射することで前記記録層に前記データを記録する記録工程と、
前記発光素子が発する光を受光する受光工程と
を備えることを特徴とする記録方法。
【請求項２２】
半導体素子並びに前記半導体素子から指示を受けて光を発する発光素子を備える素子層と、光ビームを照射することで読取可能な所定のデータが記録される記録層とを備え、前記発光素子は、前記半導体素子の制御により、信号の送信及び受信の少なくとも一方を行うる記録媒体に記録された前記データを再生する再生装置であって、
前記光ビームを照射することで前記記録層に記録された前記データを再生する再生手段と、
前記発光素子が発する光を受光する受光手段と
を備えることを特徴とする再生装置。
【請求項２３】
前記素子層は、該記録媒体の外部から入射する光を受光する受光素子を更に備えており、
前記受光素子に向けて光を発する発光手段を更に備えることを特徴とする請求の範囲第２２項に記載の再生装置。
【請求項２４】
半導体素子並びに前記半導体素子から指示を受けて光を発する発光素子とを備える素子層と、光ビームを照射することで読取可能な所定のデータが記録される記録層とを備え、前記発光素子は、前記半導体素子の制御により、信号の送信及び受信の少なくとも一方を行うる記録媒体に記録された前記データを再生する再生方法であって、
前記光ビームを照射することで前記記録層に記録された前記データを再生する再生工程と、
前記発光素子が発する光を受光する受光工程と
を備えることを特徴とする再生方法。
【発明の詳細な説明】
【技術分野】
【０００１】
本発明は、例えばＤＶＤ等の記録媒体、例えばＤＶＤレコーダ等の記録装置及び記録方法、並びに例えばＤＶＤプレーヤ等の再生装置及び再生方法、の技術分野に関する。
【背景技術】
【０００２】
現在、映画や音楽やＰＣ用データ等を記録するための各種記録媒体の開発が進み、製品化も進んでいる。その開発・製品化の流れは、例えば記録容量が概ね６５０ＭＢのＣＤ−ＲＯＭ（Compact Disc−Read Only Memory）やＣＤ−Ｒ（Compact Disc−Recordable）等に始まり、記録容量が概ね４．７ＧＢの例えばＤＶＤ−ＲＯＭやＤＶＤ−Ｒ／ＲＷ等へと続き、更には記録容量が概ね８．５ＧＢの２層型のＤＶＤ−ＲＯＭやＤＶＤ−Ｒ等へと進んでいる。現在では、このようなＤＶＤの次世代ディスクとして、記録容量が概ね２７ＧＢのＢｌｕ−ｒａｙ  Ｄｉｓｃの開発が進められている。つまりは、このような記録媒体の開発・製品化は、概ね記録容量の増大という１つの視点から、各メーカによって進められている。【０００３】
尚、以下に説明する本発明の構成に直接的に関連する内容の文献は、本発明の出願時点では見受けられない。
【発明の開示】
【発明が解決しようとする課題】
【０００４】
ところで、このような記録媒体の分野においては、記録容量の増大の限界も見えつつある。即ち、記録容量の増大には、記録装置や再生装置に用いられる部品やその仕様等に起因した技術的な限界点がおのずと存在していると考えられる。ここで、記録媒体上に半導体回路を組み込むことで、記録容量の増大の限界を迎えようとしている記録媒体に対して、更なる付加価値をつける試みがなされつつある。しかしながら、一般的に半導体回路は高温で形成される必要があるため、プラスティック樹脂等を含む記録媒体には好適に組み込むことができないという技術的な問題点を有している。【０００５】
本発明は、例えば上述した従来の問題点に鑑みなされたものであり、例えば比較的容易に組み込むことができる半導体回路を有する記録媒体、そのような記録媒体に対する記録動作を実行する記録装置及び記録方法、並びにこのような記録媒体に対する再生動作を実行する再生装置及び再生方法を提供することを課題とする。
【課題を解決するための手段】
【０００６】
（記録媒体）
本発明の記録媒体は上記課題を解決するために、半導体素子と、前記半導体素子から指示を受けて光を発する発光素子とを備える素子層と、光ビームが照射されることで読取可能な所定のデータが記録される記録層とを備える。【０００７】
本発明の記録媒体によれば、例えばＤＶＤやＣＤ等と同様に、有機色素膜や相変化膜を含む記録層に、レーザ光等の光ビームを照射することで読取可能な映画や音楽やＰＣ用データ等の各種データを記録することができる。【０００８】
本発明では特に、記録層に加えて、半導体素子と発光素子とを備える素子層を備えている。半導体素子は、比較的低温環境下で例えばプラスティック基板等の各種基板上に形成される。この半導体素子には、例えばデータを格納するためのメモリ回路や、或いはデータを処理するための処理回路等が形成されてもよい。メモリ回路に格納されるデータは、記録層に記録されるデータと同じである必要はなく、また記録層に記録されるデータに関連するデータであってもよいし、全く無関係なデータであってもよい。発光素子は、光を発する。発光素子から光を発することで、当該記録媒体の外部の装置と光通信（例えば、ＶＬＣ：Visible Light Communication）が行われ、データのやり取りが行われる。発光素子による発光動作は、例えば半導体素子に形成される回路によって制御される。例えば、光を発することで、半導体素子に形成されるメモリ回路に格納されているデータを外部に対して送信（出力）してもよい。或いは、光を発することで、処理回路からの指示を外部に対して送信（出力）し、外部の機器を制御するように構成してもよい。【０００９】
このように、例えばＤＶＤやＣＤ、ＭＯ等、光ビームが照射されることでデータが記録される記録層に加えて、記録媒体上に半導体素子や発光素子を形成することで、通常のデータを記録する機能の他に付加的な機能を記録媒体に加えることができる。特に、半導体素子は、例えばプラスティック基板等の各種基板上に比較的低温環境下で形成される。即ち、一般的なシリコン半導体のように高温環境下で形成する必要がないため、記録層を備える記録媒体に対して、半導体素子を比較的容易に組み込むことができるという大きな利点を有している。【００１０】
本発明の記録媒体の一の態様は、前記半導体素子は蒸着法及び塗布法の少なくとも一方により形成される。【００１１】
この態様によれば、比較的低温環境下で行われる蒸着法や塗布法（例えば、インクジェット法等）を用いて半導体素子をプラスティック基板上に形成することができる。【００１２】
本発明の記録媒体の一の態様は、前記半導体素子は、有機半導体を含む。【００１３】
この態様によれば、半導体素子は、比較的低温環境下で形成可能な有機半導体を含んでいる。従って、通常の記録層を有する記録媒体に対して、その基盤等を高温環境下にさらす必要がないため、比較的容易に且つ好適に半導体素子を形成することができる。【００１４】
本発明の記録媒体の他の態様は、前記半導体素子には、前記記録層に記録されるデータと関連性を有するデータが格納される。【００１５】
この態様によれば、記録層に記録されているデータの内容等に応じて、半導体素子（より具体的には、半導体素子中に構成される半導体メモリ（メモリ回路））に格納するデータを選択することができる。例えば、記録層に記録されているデータに関連したファイルシステム情報を半導体素子に格納してもよい。或いは、記録層に記録されているデータがゲーム等であれば、そのゲームをどこまで進めたかを示すデータ（いわゆる、セーブデータ）を半導体素子に格納してよい。【００１６】
本発明の記録媒体の他の態様は、当該記録媒体は円盤状の形状を有しており、前記発光素子はリング状に形成されている。【００１７】
この態様によれば、記録媒体が回転している場合であっても、記録媒体の回転に合わせてリング状の発光素子から光を発することで、好適に記録媒体外部とのデータのやり取りを行うことができる。つまりは、発光素子から光を発する際に、必ずしも記録媒体が静止している必要がなくなり、当該記録媒体の利便性がより向上するという利点を有する。【００１８】
本発明の記録媒体の他の態様は、前記発光素子は、当該記録媒体の概ね全面に渡って形成される。【００１９】
この態様によれば、記録媒体の概ね全面（例えば、記録媒体の片側の表面の概ね全体）に広がる発光素子から光を発して、所定の文字や所定の図柄を表示することが可能となる。【００２０】
本発明の記録媒体の他の態様は、前記発光素子の発光パターンは、バーコードパターンである。【００２１】
この態様によれば、バーコードパターンに様々なデータを含ませ、より多くのデータのやり取りが可能となる。【００２２】
本発明の記録媒体の他の態様は、前記発光素子は、有機ＥＬ（Electro Luminescence）素子を含む。【００２３】
この態様によれば、発光素子は、比較的低温環境下で形成可能な有機ＥＬを含んでいる。従って、通常の記録層を有する記録媒体に対して、その基板等を高温環境下にさらす必要がないため、比較的容易に且つ好適に発光素子を形成することができる。また、半導体素子が有機半導体を含んで構成されていれば、発光素子と半導体素子との親和性を向上させることができる。【００２４】
本発明の記録媒体の他の態様は、前記発光素子は、無機ＥＬ素子を含む。【００２５】
この態様によれば、発光素子は、比較的低温環境下で形成可能な無機ＥＬを含んでいる。従って、通常の記録層を有する記録媒体に対して、その基板等を高温環境下にさらす必要がないため、比較的容易に且つ好適に発光素子を形成することができる。【００２６】
本発明の記録媒体の他の態様は、前記発光素子は、前記半導体素子と比較して、当該記録媒体の外部により近い位置に形成される。【００２７】
この態様によれば、発光素子から発せられる光が、記録媒体の外部の受光素子により到達しやすくなる。従って、発光素子による記録媒体の外部とのデータのやり取りの効率を上げることができる。【００２８】
本発明の記録媒体の他の態様は、前記素子層は、当該記録媒体の外部から入射する光を受光する受光素子を更に備える。【００２９】
この態様によれば、発光素子を用いて記録媒体の外部にデータを送信するのみならず、記録媒体の外部から照射される光を受光素子において受光することで、記録媒体の外部から送信されるデータを受信することが可能となる。即ち、記録媒体と記録媒体の外部との双方向通信を実現することができ、当該記録媒体の利便性を向上させることが可能となる。【００３０】
上述の如く受光素子を備える記録媒体の態様では、当該記録媒体は円盤状の形状を有しており、前記受光素子はリング状に形成されているように構成してもよい。【００３１】
この態様によれば、記録媒体が回転している場合であっても、受光素子は安定的に光を受光することができる。つまりは、受光素子が光を受光する際に、必ずしも記録媒体が静止している必要がなくなり、当該記録媒体の利便性がより向上するという利点を有する。【００３２】
上述の如く受光素子を備える記録媒体の態様では、前記受光素子は、有機受光素子を含むように構成してもよい。【００３３】
このように構成すれば、受光素子は、比較的低温環境下で形成可能な有機受光素子（例えば、有機太陽電池素子等）を含んでいる。従って、通常の記録層を有する記録媒体に対して、その基板等を高温環境下にさらす必要がないため、比較的容易に且つ好適に受光素子を形成することができる。また、半導体素子が有機半導体を含んで構成されていたり、或いは発光素子が有機ＥＬ素子を含んで構成されていれば、発光素子や半導体素子と受光素子との親和性を向上させることができる。【００３４】
上述の如く受光素子を備える記録媒体の態様では、前記受光素子は、前記半導体素子と比較して、当該記録媒体の外部により近い位置に形成されるように構成してもよい。【００３５】
このように構成すれば、記録媒体の外部の発光素子より発せられる光が、受光素子に到達しやすくなる。従って、受光素子による記録媒体の外部とのデータのやり取りの効率を上げることができる。【００３６】
本発明の記録媒体の他の態様は、前記素子層は、前記半導体素子及び前記発光素子への少なくとも一方へ電力を供給する給電素子を更に備える。【００３７】
この態様によれば、半導体素子が動作するために必要な或いは発光素子が光を発するために必要な電力を、給電素子から好適に供給することができる。給電素子は、例えば金属電極を含んで外部から電力の供給を受けるように構成されていてもよいし、或いは後述するように太陽電池等の各種電池等を含むように構成されていてもよい。【００３８】
上述の如く給電素子を備える記録媒体の態様では、前記給電素子は、有機太陽電池を含むように構成してもよい。【００３９】
このように構成すれば、給電素子は、比較的低温環境下で形成可能な有機太陽電池を含んでいる。従って、通常の記録層を有する記録媒体に対して、その基板等を高温環境下にさらす必要がないため、比較的容易に且つ好適に給電素子を形成することができる。また、半導体素子が有機半導体を含んで構成されていたり、或いは発光素子が有機ＥＬ素子を含んで構成されていれば、発光素子や半導体素子と給電素子との親和性を向上させることができる。また、光が記録媒体に照射されている限りは給電を行うことができるため、半導体素子や発光素子の動作を半永久的に継続することができる。また、給電素子が有機太陽電池を含んでいれば、給電の機能を果たすとともに、上述した受光素子としての機能をも果たすことができるという利点を有する。【００４０】
上述の如く有機太陽電池を含む給電素子を備える記録媒体の態様では、前記有機太陽電池は、前記半導体素子と比較して、当該記録媒体の外部により近い位置に形成されるように構成してもよい。【００４１】
このように構成すれば、記録媒体の外部から入射する光が、有機太陽電池に到達しやすくなり、発電効率が上がる。従って、給電素子による給電の効率を上げることができる。【００４２】
上述の如く受光素子を備える記録媒体の態様では、前記受光素子により光−電気変換された電力を蓄積する電気二重キャパシタ層を更に備えるように構成してもよい。【００４３】
このように構成すれば、電気二重キャパシタ層に蓄積された電力を用いて、発光素子や受光素子や半導体素子を動作させることができる。特に、給電素子から電力が供給されないような状況であっても、電気二重キャパシタ層に蓄積された電力を用いることで、発光素子や受光素子や半導体素子を動作させることができる。【００４４】
（記録装置）
本発明の記録装置は上記課題を解決するために、半導体素子並びに前記半導体素子から指示を受けて光を発する発光素子を備える素子層と、光ビームを照射することで読取可能な所定のデータが記録される記録層とを備える記録媒体に前記データを記録する記録装置であって、前記光ビームを照射することで前記記録層に前記データを記録する記録手段と、前記発光素子が発する光を受光する受光手段とを備える。【００４５】
本発明の記録装置によれば、記録手段の動作により、記録媒体の記録層に光ビームが照射されることで、該記録層にデータを記録することが可能となる。また、受光手段の動作により、記録媒体の発光素子から発せられた光を受光することで、例えば記録媒体との間で（より具体的には、記録媒体の半導体素子との間で）光通信を行ってデータを受信することができる。【００４６】
尚、上述した本発明の記録媒体における各種態様に対応して、本発明の記録装置も各種態様を採ることが可能である。【００４７】
本発明の記録装置の一の態様は、前記素子層は、該記録媒体の外部から入射する光を受光する受光素子を更に備えており、前記受光素子に向けて光を発する発光手段を更に備える。【００４８】
この態様によれば、受光手段を用いて記録媒体からデータを受信するのみならず、発光手段を用いて記録媒体に光を発することで、記録媒体へデータを送信することが可能となる。即ち、記録装置と記録媒体との双方向通信を実現することができ、当該記録装置の利便性を向上させることが可能となる。【００４９】
（記録方法）
本発明の記録方法は上記課題を解決するために、半導体素子並びに前記半導体素子から指示を受けて光を発する発光素子を備える素子層と、光ビームを照射することで読取可能な所定のデータが記録される記録層とを備える記録媒体に前記データを記録する記録方法であって、前記光ビームを照射することで前記記録層に前記データを記録する記録工程と、前記発光素子が発する光を受光する受光工程とを備える。【００５０】
本発明の記録方法によれば、上述した本発明の記録装置が有する各種利益と同様の利益を享受することができる。【００５１】
尚、上述した本発明の記録媒体ないしは記録装置における各種態様に対応して、本発明の記録方法も各種態様を採ることが可能である。【００５２】
（再生装置）
本発明の再生装置は上記課題を解決するために、半導体素子並びに前記半導体素子から指示を受けて光を発する発光素子を備える素子層と、光ビームを照射することで読取可能な所定のデータが記録される記録層とを備える記録媒体に記録された前記データを再生する再生装置であって、前記光ビームを照射することで前記記録層に記録された前記データを再生する再生手段と、前記発光素子が発する光を受光する受光手段とを備える。【００５３】
本発明の再生装置によれば、再生手段の動作により、記録媒体の記録層に光ビームが照射されることで、該記録層に記録されたデータを再生することが可能となる。また、受光手段の動作により、記録媒体の発光素子から発せられた光を受光することで、例えば記録媒体との間で（より具体的には、記録媒体の半導体層との間で）光通信を行ってデータのやり取りを行うことができる。【００５４】
尚、上述した本発明の記録媒体における各種態様に対応して、本発明の再生装置も各種態様を採ることが可能である。【００５５】
本発明の再生装置の一の態様は、前記素子層は、該記録媒体の外部から入射する光を受光する受光素子を更に備えており、前記受光素子に向けて光を発する発光手段を更に備える。【００５６】
この態様によれば、受光手段を用いて記録媒体からデータを受信するのみならず、発光手段を用いて記録媒体に光を発することで、記録媒体へデータを送信することが可能となる。即ち、再生装置と記録媒体との双方向通信を実現することができ、当該再生装置の利便性を向上させることが可能となる。【００５７】
（再生方法）
本発明の再生方法は上記課題を解決するために、半導体素子並びに前記半導体素子から指示を受けて光を発する発光素子を備える素子層と、光ビームを照射することで読取可能な所定のデータが記録される記録層とを備える記録媒体に記録された前記データを再生する再生方法であって、前記光ビームを照射することで前記記録層に記録された前記データを再生する再生工程と、前記発光素子が発する光を受光する受光工程とを備える。【００５８】
本発明の再生方法によれば、上述した本発明の再生装置が有する各種利益と同様の利益を享受することができる。【００５９】
尚、上述した本発明の記録媒体ないしは再生装置における各種態様に対応して、本発明の再生方法も各種態様を採ることが可能である。【００６０】
本発明のこのような作用及び他の利得は次に説明する実施例から明らかにされる。【００６１】
以上説明したように、本発明の情報記録媒体は、半導体素子及び発光素子を備える素子層と、記録層とを備える。従って、付加的な機能を記録媒体に加えることができるとともに、これらの付加機能（具体的には、半導体層等）を比較的容易に組み込むことができる。また、本発明の記録装置又は方法は、記録手段及び受光手段、または記録工程及び受光工程を備える。従って、本発明に係る記録媒体にデータを記録するとともに、発光層から発せられる光を受光して通信を行うことができる。また、本発明の再生装置又は方法は、再生手段及び受光手段、または再生工程及び受光工程を備える。本発明に係る記録媒体に記録されたデータを再生するとともに、発光層から発せられる光を受光して通信を行うことができる。
【図面の簡単な説明】
【００６２】
【図１】本実施例に係る光ディスクの概略構成を示す平面図及び断面図である。
【図２】本実施例に係る光ディスクの他の概略構成を示す断面図である。
【図３】発光層の発光の一の態様を概念的に示す平面図である。
【図４】発光層の発光の他の態様を概念的に示す平面図である。
【図５】発光層の発光の他の態様を概念的に示す平面図である。
【図６】第１変形例に係る光ディスクの概略構成を示す断面図である。
【図７】第２変形例に係る光ディスクの概略構成を示す断面図である。
【図８】第３変形例に係る光ディスクの概略構成を示す断面図である。
【図９】本実施例に係る記録再生装置の基本的な構成を概念的に示すブロック図である。
【図１０】本実施例に係る記録再生装置の基本的な構成を概念的に示すブロック図である。
【符号の説明】
【００６３】
１００  光ディスク
１１０  半導体層
１２０  受光層
１３０  発光層
１４０  記録層
１５１、１５２  給電端子
２００  情報記録再生装置
３５２  光ピックアップ
３６１  ＬＤ
３６２  ＰＤ
【発明を実施するための最良の形態】
【００６４】
以下、本発明を実施するための最良の形態について実施例毎に順に図面に基づいて説明する。【００６５】
（光ディスクの構成）
まず、本実施例に係る記録媒体としての光ディスク１００の構成について、図１を用いて説明する。ここに、図１は、光ディスク１００の概略構成を示す平面図及び断面図である。【００６６】
図１（ａ）に示すように、光ディスク１００は、直径１２ｃｍ程度の円板形状であり、中心にセンターホール１０９が設けられている。また、図１（ｂ）に示すように、光ディスク１００の一方側の面には、有機色素膜や相変化膜を含む記録層１４０（図１（ｂ）参照）が形成されている。他方、光ディスク１００の他方側の面には、夫々が同心円状に分布する半導体層１１０と、受光層１２０と、発光層１３０とが形成されている。言い換えれば、半導体層１１０、受光層１２０、発光層１３０及び記録層１４０が積層されることで光ディスク１００が構成されている。また、半導体層１１０、受光層１２０、発光層１３０及び記録層１４０の周囲ないしは間隙部分は、例えばプラスティック基板等で保護されている。光ディスク１００の記録層１４０の例としては、例えばＤＶＤ−ＲＯＭやＤＶＤ±ＲやＤＶＤ±ＲＷやＤＶＤ−ＲＡＭやＢＤ（Ｂｌｕ−ｒａｙ  Ｄｉｓｃ）やＨＤ  ＤＶＤ（Ｈｉｇｈ  Ｄｅｆｉｎｉｔｉｏｎ  ＤＶＤ）やＭＯ（Magnet-Optical disk）などと同様の記録層が挙げられる。【００６７】
このような光ディスク１００は、記録層１４０と、半導体層１１０、受光層１２０及び発光層１３０とを別々に形成した後に張り合わせることで製造されてもよい。或いは、半導体層１１０、受光層１２０、発光層１３０及び記録層１４０が順に積層されるように製造してもよい。【００６８】
半導体層１１０は、有機半導体を含む半導体回路が形成されている層である。有機半導体は、例えば蒸着法や塗布法（例えば、インクジェット法等）等により、比較的容易に且つ低温環境下で形成される。半導体回路として、例えば、信号処理を行うための処理回路や、データを格納するためのメモリ回路が一具体例としてあげられる。【００６９】
受光層１２０は、光ディスク１００の外部から照射される光を受光する。このとき、外部から照射される光は、所定の規則に従って明滅を繰り返す光通信（例えば、ＶＬＣ：Visible Light Communication）に用いられる。より具体的には、受光層１２０は、例えば外部の機器から意図的に照射される光を受光することで、例えば半導体層１１０に含まれる半導体回路（特に、処理回路）の制御の下に、外部の機器との間で光通信（特に、外部の機器から送信されるデータの受信）を行う。受光層１２０は、例えば有機太陽電池を含んでいる。受光素子１２０が有機太陽電池を含んでいる場合、外部から意図的に照射される光を受光することで光通信を行うことができるとともに、外部から意図的にないしは偶発的に照射される光を受光することで、半導体層１１０や発光層１３０（更には、受光層１２０自身への）給電をも行うことができる。係る給電を行うために、受光層１２０は、半導体層１１０及び発光層１３０の夫々と電気的に接続されている。【００７０】
発光層１３０は、光ディスク１００の外部に向かって光を照射する。より具体的には、発光層１３０は、例えば外部の機器に対して、意図的に光を照射することで、例えば半導体層１１０に含まれる半導体回路（特に、処理回路）の制御の下に、外部の機器との間で光通信（特に、外部の機器へのデータの送信）を行う。発光層１３０は、例えば有機ＥＬ素子や無機ＥＬ素子を含んでいる。【００７１】
記録層１４０は、例えば通常のＣＤやＤＶＤの記録層と同様に、有機色素膜や相変化膜を含んでいる。レーザ光を記録層に照射することで、記録ピットが形成され、その結果、映像データや音声データやＰＣ用データ等の各種データが記録される。或いは、記録層１４０には、予めエンボスピット等が形成されていてもよい。【００７２】
半導体層１１０等を用いたデータの格納及び光通信について、より詳細に説明すると、半導体層１１０の半導体回路（特に、メモリ回路）には、記録層１４０に記録される各種データに関連するデータ（或いは、記録層１４０に記録される各種データにリンクするデータ）が格納されてもよい。例えば、記録層１４０にデータを記録している場合には、該データの特徴等を示すデータ（具体的には、例えばファイルシステム）が半導体回路に格納されてもよい。或いは、記録層１４０に予めゲーム等のデータファイルが記録されていれば、ユーザがそのゲームのどこまで進んだかを示すセーブデータが半導体回路に格納されてもよい。もちろん、記録層１４０に記録されるデータと関連性を有していないデータが、半導体層１１０に記録されてもよい。【００７３】
このように、光ディスク１００が、有機半導体を含む半導体層１１０、有機太陽電池を含む受光層１２０及び有機ＥＬ素子を含む発光層１３０を備えることで、以下に説明する様々な利益を享受することができる。【００７４】
先ず、半導体回路を有機半導体で形成することができるため、蒸着法や塗布法を用いて、低温環境下で比較的容易に半導体層１１０を備える光ディスク１００を製造することができる。つまり、従来の半導体回路のようにシリコン半導体を含む半導体層であれば、高温環境下で半導体層を形成する必要があるが、高温環境下で記録層１４０上にシリコン半導体を含む半導体層を形成することは困難である。しかるに、本実施例によれば、低温環境下で有機半導体を含む半導体層１１０を記録層１４０上に形成することができる。即ち、まず製造の容易性という点で、本実施例に係る光ディスク１００は１つの大きな利点を有している。【００７５】
加えて、通常は、単にレーザ光を照射することでデータを記録（或いは、消去）ないしは再生するに過ぎない光ディスクに対して、新たな付加価値を付け加えることができる。つまり、記録層１４０に対してデータを記録したり、記録層１４０に記録されたデータを再生することができるとともに、半導体層１１０の半導体回路の制御を受けて動作する受光層１２０及び発光層１３０の動作により、外部の機器との間で光通信を好適に行うことができる。具体的には、外部の機器ないしは半導体層１１０の半導体回路の指示により、例えば半導体層１１０の半導体回路にデータを格納したり、半導体層１１０の半導体回路に格納されたデータを読み出したりできる。或いは、外部の機器ないしは半導体層１１０の半導体回路の指示により、半導体層１１０の半導体回路に所定の演算処理を行うような指示を出したり、外部の機器に演算処理を行うような指示を出したりすることができる。まとめると、機能の多様性という点で、本実施例に係る光ディスク１００はもう１つの大きな利点を有している。【００７６】
また、有機半導体は、例えばコストパフォーマンスに優れる塗布法（具体的には、例えばインクジェット法等）を用いて製造することができる。このため、付加価値をつけつつも安価に光ディスク１００を製造することができるという利点を有する。【００７７】
また、図１の光ディスク１００は、受光層１２０と発光層１３０との夫々が、同心円状に（即ち、リング状に）形成されている。従って、例えば後述のスピンドルモータの動作により、センターホール１０９を中心として光ディスク１００が高速回転したとしても、受光層１２０の受光領域及び発光層１３０の発光領域に変化はない。従って、光ディスク１００が回転していたとしても、或いは静止していたとしても、何れの場合であっても、半導体層１１０の半導体回路の制御を受ける受光層１２０及び発光層１３０の動作により、外部の機器と光通信を特段の支障なく好適に行うことができる。【００７８】
加えて、半導体層１１０の半導体回路にファイルシステム情報が記録されていれば、記録層１４０に記録されたデータを読み取るためのレーザ光の調整等に代表される初期動作を行なうことなく、該ファイルシステム情報を好適に読み取ることができる。これは、ストレスレスな記録動作ないしは再生動作という観点からは、大きな利点となる。【００７９】
また、半導体層１１０の半導体回路にセーブデータが格納されていれば、セーブデータを記録するための外部のメモリ機器（例えば、メモリーカード等）を必要としない。従って、一枚の光ディスクがあれば、その光ディスクに関する操作を行うことができるため、ユーザの利便性の向上に役立つ。【００８０】
尚、半導体層１１０、受光層１２０及び発光層１３０の積層の態様は、図１（ｂ）に示す態様に限られず、例えば、図２に示す積層の態様であってもよい。ここに、図２は、光ディスク１００とは異なる積層の態様を有する光ディスク１０１の概略構成を示す断面図である。【００８１】
図２に示すように、光ディスク１０１は、受光層１２０及び発光層１３０の夫々が、半導体層１１０よりも上側に（即ち、光ディスク１０１の外部により近い側に）形成されている。というのも、受光層１２０は、外部の機器より照射される光を受光するため、照射された光をより効率的に受光するためには、外部の機器との間に余分なスペースないしは構成物を置かない方が好ましい。また、発光層１３０は、外部の機器に対して光を照射するため、照射した光をより効率的に外部の機器まで伝搬させるためには、外部の機器との間に余分なスペースないしは構成物を置かない方が好ましい。このため、図２に示す構成を採用することで、光通信の効率を向上させることができる。【００８２】
もちろん、他の積層の態様であってもよい。要は、半導体層１１０と受光層１２０と発光層１３０とが形成されていれば、上述した各種利益を享受することができる。但し、光通信の効率を向上させるという観点からは、図２に示すように、受光層１２０及び発光層１３０の夫々ないしはいずれか一方が、光ディスク１０１の外部により近いないしは一番近い側に形成されていることが好ましい。【００８３】
（発光の態様）
続いて、図３から図５を参照して、発光層１３０の発光の態様をより具体的に説明する。ここに、図３から図５は夫々、発光層１３０の発光の態様を概念的に示す平面図である。【００８４】
図３に示すように、発光層１３０は、円周上の一部に分布するような形状を有していてもよい。この場合、発光層１３０から発せられる光を外部の機器が受光することで、光ディスク１００の回転数を検出することができる。【００８５】
図４（ａ）に示すように、発光層１３０は、バーコードパターンの形状が浮かび上がるように光を発してもよい。例えば記録層１４０に記録されたデータの内容、サイズ、記録日時、データの特性等に応じて定まるバーコードパターンの形状が浮かび上がるように光を発してもよい。もちろん、その他の何らかのデータを示すバーコードパターンの形状が浮かび上がるように光を発してもよい。【００８６】
また、図４（ｂ）に示すように、発光層１４０は、同心円状のバーコードパターンの形状が浮かび上がるように光を発してもよい。【００８７】
図５に示すように、光ディスク１０２の概ね全面に渡って発光層１００が形成されてもよい。この場合、発光層１３０は、文字や図柄等が浮かび上がるように光を発してもよい。例えば、記録層１４０に記録されているデータの内容やタイトル或いはその記録日時等を示す文字や図柄等が浮かび上がるように光を発してもよい。或いは、適当な文字や図柄等が浮かび上がるように光を発してもよい。【００８８】
尚、発光層１３０の発光の態様は上に説明した例に限定されないことは言うまでもない。発光層１３０が発する光により外部の機器がデータを受信でき、或いはユーザが何らかの情報を感知することができれば、発光層１３０の発光の態様（或いは、発光層１３０の形状等）はどのようなものであってもよい。当然受光層１２０の受光の態様（或いは、受光層１２０の形状等）についても同様である。【００８９】
（第１変形例）
続いて、図６を参照して、第１変形例に係る光ディスク１０３について説明する。ここに、図６は、第１変形例に係る光ディスク１０３の概略構成を示す断面図である。【００９０】
図６に示すように、第１変形例に係る光ディスク１０３は、光ディスク１００と光通信を行う外部の機器から照射される光を受光する受光層１２０に加えて、記録層１４０にデータを記録するために照射されるレーザ光を受光するための受光層１２１が形成されている。この受光層１２１は、記録層１４０のどの領域までデータが記録されたかを検出するために設けられる。具体的には、図６に示すように、例えば受光層１２１が、光ディスク１０３の中周部分に設けられているとする。このとき、受光層１２１と概ね同一半径位置にある記録層１４０の領域にデータが記録されている場合は、その領域にデータが記録されていない場合と比較して、レーザ光の透過率が減少する。つまり、受光層１２１において受光したレーザ光の強度が相対的に強ければ、光ディスク１０３の中周部分には未だデータが記録されていないことが分かる。他方、受光層１２１において受光したレーザ光の強度が相対的に弱ければ、光ディスク１０３の中周部分には既にデータが記録されていることが分かる。【００９１】
このように、記録層１４０にデータを記録するために照射されるレーザ光を受光する受光層１２１を設けることで、記録層１４０におけるデータの記録状態を比較的容易に検知することができる。そして、記録層１４０におけるデータの記録状態に応じて、半導体層１１０に含まれる半導体回路の動作を適宜変更するように構成してもよい。【００９２】
尚、この場合、記録層１４０は、光透過性を有している必要がある。【００９３】
（第２変形例）
続いて、図７を参照して、第２変形例に係る光ディスク１０４について説明する。ここに、図７は、第２変形例に係る光ディスク１０４の概略構成を示す断面図である。【００９４】
図７に示すように、第２変形例に係る光ディスク１０４には、例えばリング状の金属電極等を含む給電端子１５１及び１５２が設けられている。例えば、給電端子１５１が＋Ｖｃｃ（Ｖ）の電圧を供給する機能を果たし、給電端子１５２がＧＮＤ（グランド線）の機能を果たすように構成してもよい。光ディスク１０４が例えばスピンドルモータに装着された場合、スピンドルモータのクランパに設けられた給電線と給電端子１５１及び１５２の夫々とが接触する。これにより、半導体層１１０、受光層１２２及び発光層１３０の夫々と電気的に接続されている給電端子１５１及び１５２の夫々は、半導体層１１０、受光層１２２及び発光層１３０の夫々に対して、夫々の動作に必要な電力を供給する。【００９５】
このように金属電極等を含む給電端子１５１及び１５２を設けることで、受光層１３３が給電する必要はなくなる。即ち、受光層１２２は、光通信を行う外部の機器から発せられる光を受光することができれば足りる。【００９６】
（第３変形例）
続いて図８を参照して、第３変形例に係る光ディスク１０５について説明する。ここにお、図８は、第３変形例に係る光ディスク１０５の概略構成を示す断面図である。【００９７】
図８に示すように、第３変形例に係る光ディスク１０５は、発光層１３０、受光層１２０及び半導体層１１０の夫々と記録層１４０との間に、蓄電層１６０を配している。【００９８】
蓄電層１６０は、カーボンナノチューブを含む電極１６２間に電解液１６１を封じた構成になっている電気二重層キャパシタと呼ばれているものである。電気二重層キャパシタは電解層１６１の厚みが薄くかつ大容量の電力を蓄電できるという特徴がある。また電極１６２にカーボンナノチューブを使用していることからきわめて薄い構造をとることができる。【００９９】
受光層１２０（例えば、上述した有機太陽電池等）から得られた電力を蓄電層１６０に蓄電し、該蓄電された電力を用いて所定のデータの半導体層１１０への格納を行うことができる。例えば、光ディスクへデータを記録する際には、光ディスクをＥｊｅｃｔするまでは、記録機器のメモリ（例えば、ＤＲＡＭ等）などに管理データ等を格納しておき、光ディスク上におけるデータの記録の態様に変更があったらそのつど管理データ等を変更し、Ｅｊｅｃｔするときに該管理データを反映させたファイルシステムを光ディスクに格納する動作が行なわれる。このような動作を行なう場合、記録機器のメモリではなく、蓄電層１６０により電力供給された光ディスク１０５上の半導体層１１０に管理データ等を格納しておくことができる。【０１００】
蓄電層１６０を構成するキャパシタは大容量であり、半導体層１１０を構成する有機半導体は省電力であるので、長い時間半導体層１１０（特に、その半導体回路内）にデータを格納・保持しておくことができる。また所定の期間あたり、半導体層１１０により消費される電力よりも多くの電力が得られる光照度のある環境下にこの光ディスク１０５をおいておくことで、永続的なデータの格納・保持が可能である。【０１０１】
また、発光層１３０における発光にこの電力を使用すると、光ディスク１０５（特に、その受光層１２０）に光があたらない場所でのデータの送受信が可能となる。さらに、この電力を用いて、発光層１３０による、文字や図柄等が浮かび上がるような光の発光も可能となり、当該光ディスク１０５の記録メディアとしての価値を高めることにつながる。【０１０２】
（情報記録再生装置）
続いて、図９を参照して、本発明の記録装置ないしは再生装置に係る実施例としての記録再生装置について説明する。ここに、図９は、本実施例に係る記録再生装置２００の基本的な構成を概念的に示すブロック図である。尚、記録再生装置２００は、光ディスク１００の記録層１４０にデータを記録する機能と、光ディスク１００の記録層１４０に記録されたデータを再生する機能と、光ディスク１００との間で光通信を実行する機能とを備える。【０１０３】
図９に示すように、情報記録再生装置２００は、実際に光ディスク１００から１０５（以下、“光ディスク１００等”と表現する）がローディングされ且つデータの記録やデータの再生が行なわれるディスクドライブ３００と、該ディスクドライブ３００に対するデータの記録及び再生を制御するパーソナルコンピュータ等のホストコンピュータ４００とを備えている。【０１０４】
ディスクドライブ３００は、光ディスク１００等、スピンドルモータ３５１、光ピックアップ３５２、信号記録再生手段３５３、ＣＰＵ（ドライブ制御手段）３５４、メモリ３５５、データ入出力制御手段３０６、ＬＤ（Laser Diode）３６１、ＰＤ（Photo Detector）３６２及びバス３５７を備えて構成されている。また、ホストコンピュータ４００は、ＣＰＵ３５９、メモリ３６０、操作／表示制御手段３０７、操作ボタン３１０、表示パネル３１１、及びデータ入出力制御手段３０８を備えて構成される。【０１０５】
スピンドルモータ３５１は光ディスク１００等を回転及び停止させるもので、光ディスク１００等へのアクセス時に動作する。より詳細には、スピンドルモータ３５１は、図示しないサーボユニット等によりスピンドルサーボを受けつつ所定速度で光ディスク１００等を回転及び停止させるように構成されている。【０１０６】
光ピックアップ３５２は、本発明における「記録手段」或いは「再生手段」の一具体例を構成しており、光ディスク１００等の記録層１４０へのデータの記録又は再生を行うために、例えば半導体レーザ装置とレンズ等から構成される。より詳細には、光ピックアップ３５２は、光ディスク１００等の記録層１４０に対してレーザービーム等の光ビームを、再生時には読み取り光として第１のパワーで照射し、記録時には書き込み光として第２のパワーで且つ変調させながら照射する。これにより、例えばグルーブトラックＧＴ上に記録ピットが形成される。【０１０７】
信号記録再生手段３５３は、スピンドルモータ３５１と光ピックアップ３５２を制御することで光ディスク１００等に対して記録再生を行う。より具体的には、信号記録再生手段３５３は、例えば、レーザダイオードドライバ（ＬＤドライバ）及びヘッドアンプ等によって構成されている。レーザダイオードドライバは、光ピックアップ３５２内に設けられた図示しない半導体レーザを駆動する。ヘッドアンプは、光ピックアップ３５２の出力信号、即ち、光ビームの反射光を増幅し、該増幅した信号を出力する。【０１０８】
メモリ３５５は、記録再生データのバッファ領域や、信号記録再生手段３５３で使用出来るデータに変換する時の中間バッファとして使用される領域などディスクドライブ３００におけるデータ処理全般及びＯＰＣ処理において使用される。また、メモリ３５５はこれらレコーダ機器としての動作を行うためのプログラム、即ちファームウェアが格納されるＲＯＭ領域と、記録再生データの一時格納用バッファや、ファームウェアプログラム等の動作に必要な変数が格納されるＲＡＭ領域などから構成される。【０１０９】
ＣＰＵ（ドライブ制御手段）３５４は、信号記録再生手段３５３及びメモリ３５５と、バス３５７を介して接続され、各種制御手段に指示を行うことで、ディスクドライブ３００全体の制御を行う。通常、ＣＰＵ３５４が動作するためのソフトウェア又はファームウェアは、メモリ３５５に格納されている。【０１１０】
データ入出力制御手段３０６は、ディスクドライブ３００に対する外部からのデータ入出力を制御し、メモリ３５５上のデータバッファへの格納及び取り出しを行う。情報記録再生装置３００とＳＣＳＩや、ＡＴＡＰＩなどのインタフェースを介して接続されている外部のホストコンピュータ４００から発行されるドライブ制御命令は、データ入出力制御手段３０６を介してＣＰＵ３５４に伝達される。また、記録再生データも同様にデータ入出力制御手段３０６を介して、ホストコンピュータ４００とやり取りされる。【０１１１】
操作／表示制御手段３０７はホストコンピュータ４００に対する動作指示受付と表示を行うもので、例えば記録又は再生といった操作ボタン３１０による指示をＣＰＵ３５９に伝える。ＣＰＵ３５９は、操作／表示制御手段３０７からの指示情報を元に、データ入出力手段３０８を介して、情報記録再生装置３００に対して制御命令（コマンド）を送信し、ディスクドライブ３００全体を制御する。同様に、ＣＰＵ３５９は、ディスクドライブ３００に対して、動作状態をホストに送信するように要求するコマンドを送信することができる。これにより、記録中や再生中といったディスクドライブ３００の動作状態が把握できるためＣＰＵ３５９は、操作／表示制御手段３０７を介して蛍光管やＬＣＤなどの表示パネル３１１にディスクドライブ３００の動作状態を出力することができる。【０１１２】
メモリ３６０は、ホストコンピュータ４００が使用する内部記憶装置であり、例えばＢＩＯＳ（Basic Input／Output System)等のファームウェアプログラムが格納されるＲＯＭ領域、オペレーティングシステムや、アプリケーションプログラム等の動作に必要な変数等が格納されるＲＡＭ領域などから構成される。また、データ入出力制御手段３０８を介して、図示しないハードディスク等の外部記憶装置に接続されていてもよい。【０１１３】
ＬＤ３６１は、本発明における「発光手段」の一具体例を構成しており、ＣＰＵ３５４ないしは３５９の制御の下に、光ディスク１００等の受光層１２０に対して光を照射する。即ち、光ディスク１００等との間での光通信（特に、記録再生装置２００からのデータの送信）を行う。【０１１４】
ＰＤ３６２は、本発明における「受光手段」の一具体例を構成しており、ＣＰＵ３５４ないしは３５９の制御の下に、光ディスク１００等の発光層１３０から発せられる光を受光する。即ち、光ディスク１００等との間での光通信（特に、光ディスク１００等から送信されるデータの受信）を行う。【０１１５】
このような記録再生装置２００によれば、記録層１４０に対してデータを記録することができるとともに、半導体層１１０の半導体回路の制御を受けて動作する受光層１２０及び発光層１３０との間で、光通信を好適に行うことができる。即ち、半導体層１１０の半導体回路にデータを格納したり、半導体層１１０の半導体回路に格納されたデータを読み出したりできる。或いは、半導体層１１０の半導体回路に所定の演算処理を行うような指示を出したり、或いは半導体層１１０の半導体回路からの指示に基づいて、記録再生装置２００側で演算処理を行うことができる。【０１１６】
また、特に図５に示す光ディスク１０２がローディングされている場合には、記録再生装置２００は、ＣＰＵ３５４の制御を受けるＰＤ３６２から受光層１２０へ光を照射して半導体層１１０の半導体回路を制御することで、文字や図柄等を浮かび上がらせるように発光層１３０を発光させてもよい。或いは、記録再生装置２００は、ＣＰＵ３５４の制御を受けるＰＤ３６２から受光層１２０へ光を照射することで、半導体回路１１０の半導体回路に、発光層１３０を用いて浮かび上がらせる文字や図柄等を示すデータを記録してもよい。記録されたデータが示す文字や図柄等は、半導体回路１１０の半導体回路の制御により発光層１３０を発光させることで、適宜浮かび上がらせることができる。【０１１７】
また、例えば図６に示す光ディスク１０３がローディングされている場合には、受光層１２１において受光されるレーザ光の透過率に応じて、半導体層１１０の半導体回路は、光ディスク１０３の何れの領域までデータが記録されたかを認識することができる。このため、半導体層１１０の半導体回路は、発光層１３０を発光させることで、光ディスク１０３の何れの領域までデータが記録されたかを示すデータ（例えば、記録管理データ等）を記録再生装置２００に伝送してもよい。この場合、記録再生装置２００は、光ディスク１０３の何れの領域までデータが記録されたかを適宜認識することができる。このため、自身で記録管理データ等を作成していなくとも或いは何らかの要因により記録管理データを棄損してしまっても、光ディスク１０３上におけるデータの記録の態様を好適に認識することができる。【０１１８】
また、例えば図７に示す光ディスク１０４については、図９に示す記録再生装置２００に代えて、図１０に示すように、光ディスク１０４の給電端子１５１及び１５２と電気的に接触する給電端子３６３をスピンドルモータ３５１のクランプ部分に備えており、且つ給電端子３６３に給電を行う給電手段３６４を備える記録再生装置２０１を用いてデータの記録或いは再生、ないしはＬＤ３６１及びＰＤ３６２を介したデータ通信を行うことが好ましい。これにより、半導体層１１０、受光層１２２及び発光層１３０の夫々に対して、夫々の動作に必要な電力を供給することができる。【０１１９】
また、図８に示す光ディスク１０４については、図９に示す記録再生装置２００を用いてデータの記録或いは再生、ないしはＬＤ３６１及びＰＤ３６２を介したデータ通信を行ってもよい。これによっても、蓄電層１６０に蓄電された電力を用いて、半導体層１１０、受光層１２２及び発光層１３０の夫々に対して、夫々の動作に必要な電力を供給することができる。或いは、図１０に示す記録再生装置２０１を用いてデータの記録或いは再生、ないしはＬＤ３６１及びＰＤ３６２を介したデータ通信を行ってもよい。これにより、給電手段３６４からの給電により、蓄電層１６０に電力を蓄電（即ち、充電）することができる。この場合、蓄電層１６０は、給電端子３６３と電気的に接触する給電端子を備えていることが好ましい。【０１２０】
また、上述の実施例では、記録媒体の一例として光ディスク１００等及び記録装置又は再生装置の一例として光ディスク１００等に係るレコーダ若しくはプレーヤについて説明したが、本発明は、光ディスク及びそのレコーダ若しくはプレーヤに限られるものではなく、他の高密度記録或いは高転送レート対応の各種記録媒体並びにそのレコーダ若しくはプレーヤにも適用可能である。【０１２１】
本発明は、上述した実施例に限られるものではなく、請求の範囲及び明細書全体から読み取れる発明の要旨或いは思想に反しない範囲で適宜変更可能であり、そのような変更を伴なう記録媒体、記録装置及び方法、並びに再生装置及び方法もまた本発明の技術的範囲に含まれるものである。
【産業上の利用可能性】
【０１２２】
本発明に係る記録媒体、記録装置及び記録方法、並びに再生装置及び再生方法は、例えばＤＶＤ等の記録媒体に利用可能であり、更に、例えばＤＶＤレコーダ等の記録装置やＤＶＤプレーヤ等の再生装置等に利用可能である。
【図１】
0004450252.tif 000002
【図２】
0004450252.tif 000003
【図３】
0004450252.tif 000004
【図４】
0004450252.tif 000005
【図５】
0004450252.tif 000006
【図６】
0004450252.tif 000007
【図７】
0004450252.tif 000008
【図８】
0004450252.tif 000009
【図９】
0004450252.tif 000010
【図１０】
0004450252.tif 000011